(57)【要約】【課題】近紫外および近赤外の波長域の光線が強い場合に、自動的に光学フィルタを撮像レンズの光路に挿入することで、その波長域の色滲みのみをなくし、被写体の持つ色合いを失うことなく良好な画像を得ることができる撮像装置の提供。【解決手段】撮像レンズのズームポジションを検知する手段と、撮像レンズのフォーカス位置を検知する手段と、撮像レンズの絞り値を検知する手段と、被写体の色温度を検知する手段と、前記検知手段の出力に基づき撮像レンズによる画質を判定する手段と、前記判定手段の出力により結像レンズの光路中に光学フィルタを挿入する駆動手段と、を有することを特徴とする撮像装置。【選択図】図１
2007134954.tif 000002
【特許請求の範囲】
【請求項１】
撮像レンズのズームポジションを検知する手段と、撮像レンズのフォーカス位置を検知する手段と、撮像レンズの絞り値を検知する手段と、被写体の色温度を検知する手段と、前記検知手段の出力に基づき撮像レンズによる画質を判定する手段と、前記判定手段の出力により結像レンズの光路中に光学フィルタを挿入する駆動手段と、を有することを特徴とする撮像装置。
【請求項２】
請求項１記載の撮像装置において、前記光学フィルタは波長４００ナノメートル付近以下の光線をカットすることを特徴とする撮像装置。
【請求項３】
請求項１記載の撮像装置において、前記光学フィルタは波長７００ナノメートル付近以上の光線をカットすることを特徴とする撮像装置。
【請求項４】
請求項１記載の撮像装置において、被写体の色温度を検知する手段と、撮像素子が同一であることを特徴とする撮像装置。
【発明の詳細な説明】
【技術分野】
【０００１】
本発明は撮像装置に関し、特に、そのの画質向上に関する。
【背景技術】
【０００２】
図６は従来のデジタルカメラの結像光学系である。被写体６０１からの光線は撮像レンズ１０１、光学ローパスフィルタ６０２、赤外カットフィルタ６０３を通して、撮像素子６０４に結像する。被写体６０１の像は図７に示すように撮像素子の感度のある波長域の光線すべてにより形成される。
【特許文献１】特開平６−１９７２６０号公報
【発明の開示】
【発明が解決しようとする課題】
【０００３】
しかしながら、結像レンズは可視域のほとんどの部分について色収差を補正しているが、多くの場合、近紫外および近赤外の波長域では色収差が残存している。また、被写体からの光線は近紫外および近赤外の波長の光も一様に取り込まれるため、図７のようにこの波長域の光が強い場合には色収差による色の滲みが顕著に表れ、被写体が青または赤く滲むという、問題点があった。
【０００４】
以上のことから、本発明は、近紫外および近赤外の波長域の光線を阻止することで、その波長域の色滲みをなくし、良好な画像を得ることができる撮像装置の提供を目的とする。
【課題を解決するための手段】
【０００５】
上述の目的を達成するために、本発明の撮像装置においては、結像レンズのズームポジションとフォーカス位置と絞りの値より近紫外および近赤外で色の滲みが発生する結像レンズの状態を検出し、その検出した値と、別途設けられた色温度測定手段により検出された色温度から色滲みの発生を予測し、予測値があらかじめ設定された基準を超えた場合には光学フィルタを撮像装置の撮像光路中に自動で挿入する。
【０００６】
即ち、以下の構成を備えるものである。
【０００７】
撮像レンズのズームポジションを検知する手段と、撮像レンズのフォーカス位置を検知する手段と、撮像レンズの絞り値を検知する手段と、被写体の色温度を検知する手段と、前記検知手段の出力に基づき撮像レンズによる画質を判定する手段と、前記判定手段の出力により結像レンズの光路中に光学フィルタを挿入する駆動手段と、を有する撮像装置。
【発明の効果】
【０００８】
本発明によれば、近紫外および近赤外の波長域の光線が強い場合に、自動的に光学フィルタを撮像レンズの光路に挿入することで、その波長域の色滲みのみをなくし、被写体の持つ色合いを失うことなく良好な画像を得ることができる。
【発明を実施するための最良の形態】
【０００９】
以下に、本発明を実施するための最良の形態を、実施例に基づいて説明する。
【実施例】
【００１０】
図１に、本発明の構成図を示す。画像を撮像する撮像レンズ１０１、撮像レンズ１０１のズームポジション検知する手段１０２、撮像レンズ１０１のフォーカス位置を検知する手段１０３、撮像レンズ１０１の絞りの値を検知する手段１０４、および、これらの出力より色滲みが発生する状態か否かを判別する手段１０５を有する。これとは別に、被写体の色温度を測定する手段１０６を有する。撮像レンズ１０１の状態と、色温度情報から、色滲みの発生を判断し波長カットフィルタを撮像レンズの光路に挿入するか否かを判定する手段１０７を有し、波長カットフィルタ駆動装置１０８を用いて撮像光学系の光路中に波長カットフィルタ１０９を挿入する。なおこの波長カットフィルタ１０９は可視域部の阻止域の少ないもので画像の品質に対して影響の少ないものである。また、色温度を測定する手段１０６は、撮像素子を兼用してもよい。
【００１１】
次に、本発明のフローを図２を用いて説明する。まず、撮像レンズのズームポジションおよびフォーカス位置および絞り値を検出する。撮像レンズによる色滲みの量は、ズームポジションおよびフォーカス位置および絞り値から計算できる。この計算結果からどの波長域の光線が滲むかが判断される。また、被写体の色温度結果より滲む波長域の光線の量を予測することができる。ここで、撮像レンズからの色滲み情報と被写体の色温度とを比較し色滲みが発生する条件が設定値以上であった場合には自動的に撮像レンズの光路中に光学フィルタを駆動装置を用いて挿入する。
【００１２】
次に本発明の実施例を述べる。まず、撮像レンズのズームポジションおよびフォーカス位置および絞り値を検出する。この結果、短波長側の光線が色滲みを起こすと判断された場合には、このときの色温度を測定しその結果が一定値以上であった場合には紫外カットフィルタを光路に挿入する。また、長波長側の光線が色滲みを起こすと判断された場合には、このときの色温度を測定しその結果が一定値以下であった場合には赤外カットフィルタを光路に挿入する。
【００１３】
具体的には、図６に示す色温度が高い場合には短波長側での色滲みがおき、光学フィルタがない場合の色滲みは図３に示すように波長４００ナノメートルの光線まで滲むため全体の滲み量が大きく見える。そこで波長４１０ナノメートル以下の光線をカットするフィルタを光路中に挿入し図４のような分光特性にすることにより、画像全体の質を落とすことなく図５のように青色の滲みを低減することができる。長波長側での色滲みがおきた場合も同様であり、光学フィルタがない場合の色滲みは波長７００ナノメートルの光線まで滲むため全体の滲み量が大きく見える。そこで波長６８０ナノメートル以上の光線をカットするフィルタを光路中に挿入することで、画像全体の質を落とすことなく赤色の滲みを低減することができる。
【図面の簡単な説明】
【００１４】
【図１】本発明の構成図
【図２】本発明の色滲み判別と光学フィルタ挿入の処理フロー
【図３】短波長域で色滲みを示す図
【図４】波長カットフィルタを用いたときの分光特性を示す図
【図５】波長カットフィルタを用いたときの色滲みを示す図
【図６】従来装置の構成図
【図７】撮像素子と被写体の分光特性を示す図
【符号の説明】
【００１５】
１０１  撮像レンズ
１０２  撮像レンズのズームポジション検知する手段
１０３  撮像レンズのフォーカス位置を検知する手段
１０４  撮像レンズの絞りの値を検知する手段
１０５  色滲みの発生を判別する手段
１０６  被写体の色温度を測定する手段
１０７  波長カットフィルタの撮像レンズの光路への挿入を判定する手段
１０８  波長カットフィルタ駆動装置
１０９  波長カットフィルタ
６０１  被写体
６０２  光学ローパスフィルタ
６０３  赤外カットフィルタ
６０４  撮像素子
【図１】
2007134954.tif 000003
【図２】
2007134954.tif 000004
【図３】
2007134954.tif 000005
【図４】
2007134954.tif 000006
【図５】
2007134954.tif 000007
【図６】
2007134954.tif 000008
【図７】
2007134954.tif 000009